【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
原動機付き車両（８）のステアリング群（４）であって、
ステアリング管（２０）を取り付けられたフロントフレーム（１６）であって、前記ステアリング管（２０）はステアリングシャフトまたはピン（２４）を回転自在に収容し、前記ステアリングシャフトまたはピン（２４）は、ステアリング軸（Ｘ−Ｘ）の周りを回転する、フロントフレーム（１６）と、
前記ステアリング管（２０）と一体にアップライト（３２）を取り付けられた前記フロントフレーム（１６）と、
前記ステアリングシャフト（２４）と一体になって回転するステアリングブラケット（３６）を備える前記フロントフレーム（１６）と、を備える、
原動機付き車両（８）のステアリング群（４）は、
前記ステアリング群（４）が、前記ステアリングシャフト（２４）自体を前記フロントフレーム（１６）に対して中心に配置するように前記ステアリングシャフト（２４）へ弾性的に影響を与える弾性復帰手段（４４）を備え、前記弾性復帰手段（４４）は、前記ステアリングシャフト（２４）が前記中心対称位置に対して回転したときに弾性復帰作用を発揮するように、前記アップライト（３２）と前記ステアリングブラケット（３６）との間に配置され、機械的に連結され、
前記弾性復帰手段（４４）は、逆進的傾向の弾性応答を有しており、前記中心位置からの前記ステアリングシャフト（２４）の変位が増加するにつれて、前記弾性復帰手段（４４）の剛性は減少し、
前記弾性復帰手段は、前記ステアリングブラケット（３６）に前記弾性復帰手段（４４）の第１の連結点（４８）と、前記弾性復帰手段（４４）の前記アップライト（３２）に第２の連結点（５２）とを備え、
前記弾性復帰手段（４４）は、覆い（５８）およびピストン（６０）を備え、前記覆い（５８）および前記ピストン（６０）は、前記覆い（５８）によって定められた台座（６４）に対してスライドするステム（６２）を設けられ、前記ピストン（６０）および前記覆い（５８）はそれぞれ、前記連結点（４８）、前記連結点（５２）の一つと一体であり、中心間距離（７２）または前記連結点（４８）と前記連結点（５２）との間の距離がばね（６８）の圧縮に応じて変化可能であるように、前記ステム（６２）と前記台座（６４）との間に少なくとも一つの前記ばね（６８）は、介在され、
前記覆い（５８）は、閉鎖物の外側ケーシング、および前記弾性復帰手段（４４）のための剛性を作る、
原動機付き車両（８）のステアリング群（４）。
【請求項２】
前記覆い（５８）は、閉鎖物の外側ケーシング、および前記弾性復帰手段（４４）のための剛性を実現する第１のカップ形状部（６５）および第２のカップ形状部（６６）を備える、請求項１に記載のステアリング群（４）。
【請求項３】
前記第１のカップ形状部（６５）および前記第２のカップ形状部（６６）は、前記弾性復帰手段（４４）の伸張の一般的な方向（Ｌ−Ｌ）に関して軸対称、特に円筒形、である、請求項１または請求項２に記載のステアリング群（４）。
【請求項４】
前記第１のカップ形状部（６５）の径（Ｄ１）は、前記第２のカップ形状部（６６）の径（Ｄ２）よりも小さく、前記径（Ｄ１）は、前記ステム（６２）の端部（６７）を隙間を備えて収容できるような大きさにされる、請求項３に記載のステアリング群（４）。
【請求項５】
前記隙間は、前記ステム（６２）の前記端部（６７）と前記第１のカップ形状部（６５）との間の関連するスライドを容易にする、少なくとも一つのスライドブッシング（６９）を収容する、請求項４に記載のステアリング群（４）。
【請求項６】
前記第１のカップ形状部（６５）と前記第２のカップ形状部（６６）との間の移行部には、前記ばね（６８）のための第１の軸方向アバットメント（７１）を形成する第１の肩（７０）が設けられている、請求項２から請求項５のいずれか一項に記載のステアリング群（４）。
【請求項７】
前記ピストン（６０）は、前記第１の肩（７０）と軸方向に向かい合っている第２の肩（７３）を備え、前記第１の肩（７０）および前記第２の肩（７３）はそれぞれ、前記弾性復帰手段（４４）の伸張の一般的な方向（Ｌ−Ｌ）に沿って前記ばね（６８）のストローク端を形成する、請求項６に記載のステアリング群（４）。
【請求項８】
前記第２のカップ形状部（６６）は、前記ステム（６２）と一体である前記第１の連結点（４８）の側から、閉鎖キャップ（７６）とかみ合うロック端（７５）で終わる、請求項１から請求項７のいずれか一項に記載のステアリング群（４）。
【請求項９】
前記閉鎖キャップ（７６）は、前記同一の閉鎖キャップに対して前記ステム（６２）のスライドを可能とするように隙間を備えて前記ステム（６２）を収容できる、請求項８に記載のステアリング群（４）。
【請求項１０】
前記閉鎖キャップ（７６）は、前記覆い（５８）の内側への粉塵または土砂の侵入を防ぐために前記ステム（６２）でスライドする粉塵カバーまたはシール（７７）を設けられる、請求項８または請求項９に記載のステアリング群（４）。
【請求項１１】
前記弾性復帰手段（４４）は、前記ステアリングシャフト（２４）の前記中心対称位置の周りで何らかの弾性作用が働かないように、予め与えられた負荷を有さない、請求項１から請求項１０のいずれか一項に記載のステアリング群（４）。
【請求項１２】
前記弾性復帰手段（４４）は、前記ステアリングシャフト（２４）が前記中心対称位置に対して回転したときに引っ張られるように、前記アップライト（３２）と前記ステアリングブラケット（３６）との間に配置され、
前記弾性復帰手段（４４）は、逆進的傾向の弾性応答を有しており、前記復帰手段（４４）のけん引が増加するにつれて、前記弾性復帰手段（４４）の前記剛性は、減少する、
請求項１から請求項１１のいずれか一項に記載のステアリング群（４）。
【請求項１３】
前記弾性復帰手段（４４）は、前記ステアリングシャフト（２４）が前記中心対称位置に対して回転したときに押し込まれるように、前記アップライト（３２）と前記ステアリングブラケット（３６）との間に配置され、
前記弾性復帰手段（４４）は、逆進的傾向の弾性応答を有しており、前記復帰手段の圧縮が増加するにつれて、前記弾性復帰手段（４４）の前記剛性は、減少する、
請求項１０または請求項１１に記載のステアリング群（４）。
【請求項１４】
前記ステアリングブラケット（３６）への前記弾性復帰手段（４４）の第１の連結点（４８）は、前記ステアリング軸（Ｘ−Ｘ）の前方に、前記ステアリング軸（Ｘ−Ｘ）に直交し且つ前記ステアリングブラケット（３６）の下側面（５０）に平行な平面Ｐに関して進行方向に、配置され、前記弾性復帰手段（４４）の前記アップライト（３２）への第２の連結点（５２）は、前記平面（Ｐ）での前記進行方向に対して前記ステアリング軸（Ｘ−Ｘ）の後方に配置される、請求項１から請求項１３のいずれか一項に記載のステアリング群（４）。
【請求項１５】
前記連結点（４８）、前記連結点（５２）は、前記ステアリングシャフト（２４）の前記対称中心位置に対して右および左への操舵にて前記弾性復帰手段（４４）の対称的な挙動を有するように、直進方向（Ｙ−Ｙ）に平行に配置された、前記フロントフレーム（１６）の中心線平面（Ｍ−Ｍ）に関して整列される、請求項１４に記載のステアリング群（４）。
【請求項１６】
前記弾性復帰手段（４４）の前記連結点（４８）、前記連結点（５２）は、前記ステアリング軸（Ｘ−Ｘ）に平行な回転軸（Ｗ’）の周り、回転軸（Ｗ”）の周りでの前記弾性復帰手段（４４）の回転をそれぞれ可能とする円筒形の結合部（５６）を備える、請求項１４または請求項１５に記載のステアリング群（４）。
【請求項１７】
前記弾性復帰手段（４４）は、少なくとも一つの逆進的傾向のばね（６８）を備える、請求項１から請求項１６のいずれか一項に記載のステアリング群（４）。
【請求項１８】
前記少なくとも一つのばね（６８）は、皿ばねである、請求項１７に記載のステアリング群（４）。
【請求項１９】
前記弾性復帰手段（４４）は、直列に配置された、複数の逆進的傾向の皿ばね（６８）を備える、請求項１から請求項１８のいずれか一項に記載のステアリング群（４）。
【請求項２０】
直列の前記皿ばね（６８）は、互いに直接接触するように配置される、請求項１９に記載のステアリング群（４）。
【請求項２１】
前記皿ばね（６８）は、互いに直列に、１５個から３０個の数を設けられる、請求項１８から請求項２０のいずれか一項に記載のステアリング群（４）。
【請求項２２】
前記皿ばね（６８）は、互いに同一である、請求項１８から請求項２１のいずれか一項に記載のステアリング群（４）。
【請求項２３】
前記皿ばね（６８）は、１．８＜Ｄｅ／Ｄｉ＜２．４を有するような大きさにされ、Ｄｅは前記皿ばねの外径と等しく、Ｄｉは前記皿ばね（６８）の内径と等しい、請求項１８から請求項２２のいずれか一項に記載のステアリング群（４）。
【請求項２４】
前記皿ばね（６８）は、１８＜Ｄｅ／ｔ＜２８を有するような大きさにされ、Ｄｅは前記皿ばねの外径と等しく、ｔは前記皿ばね（６８）の厚みと等しい、請求項１８から請求項２３のいずれか一項に記載のステアリング群（４）。
【請求項２５】
前記皿ばね（６８）は、０．４＜ｈ０／ｔ＜０．７５を有するような大きさにされ、ｈ０は前記皿ばねの静止高さと等しく、ｔは前記皿ばね（６８）の厚みと等しい、請求項１８から請求項２４のいずれか一項に記載のステアリング群（４）。
【請求項２６】
請求項１から請求項２５のいずれか一項に記載のステアリング群（４）を備える、原動機付き車両（８）。